(57)【要約】【課題】遊戯者への興趣を損なうことなく場内での音場雰囲気に応じて最適な効果音の発生源となる音響装置としての構成をコスト上昇を招くことなく得ることができるスロットマシンを提供する。【解決手段】効果音を発生させるための音響装置を備えた遊技機において、上記音響装置は、スピーカ２２と該スピーカ２２が前面２３Ａに取り付けられて背面２３Ｃが開閉若しくは着脱可能な空間を有し、その空間の一部に上記スピーカ２２からの背面音を前面に誘導するバスレフ部２３Ｂが設けられている共鳴部材２３で構成され、上記共鳴部材２３には、上記スピーカ２２の後方に該スピーカ２２を備えていない別の共鳴部材２４が連結可能であり、別の共鳴部材２４を連結することで上記スピーカ２２の後方空間の容積を変更可能であることを特徴とする。【選択図】    図４
2004236021.tif 000002
【特許請求の範囲】
【請求項１】
効果音を発生させるための音響装置を備えた遊技機において、
上記音響装置は、スピーカと該スピーカが前面に取り付けられて背面が開閉若しくは着脱可能な空間を有し、その空間の一部に上記スピーカからの背面音を前面に誘導するバスレフ部が設けられている共鳴部材で構成され、
上記共鳴部材には、上記スピーカの後方に該スピーカを備えていない別の共鳴部材が連結可能であり、別の共鳴部材を連結することで上記スピーカの後方空間の容積を変更可能であることを特徴とする遊技機。
【請求項２】
箱型の筐体と、該筐体の前面に開閉自在に取り付けられる前面扉とを備える箱型遊技機に、効果音を発生させるための音響装置を備えた遊技機において、
上記音響装置は、スピーカと該スピーカが前面に取り付けられて背面が会へ若しくは着脱可能な空間を有し、その空間の一部に上記スピーカからの背面音を前面に誘導するバスレフ部が設けられている共鳴部材で構成され、
上記共鳴部材には、上記スピーカの後方に該スピーカを備えていない別の共鳴部材が連結可能であり、該共鳴部材の連結数は音場雰囲気あるいは希望する音量に応じて選択可能であることを特徴とする遊技機。
【請求項３】
請求項１または２記載の遊技機において、
上記バスレフ部の内部空間には、音の伝播方向と直角な方向に並置可能で該バスレフ部の空間と一体若しくは着脱可能な仕切り部材が設けられていることを特徴とする遊技機。
【発明の詳細な説明】
【０００１】
【発明の属する技術分野】
本発明は、パチンコ遊技機、スロットマシンあるいは雀球機さらにはパチスロマシンやゲームセンタで用いられるゲーム機などの遊技機に関し、さらに詳しくは箱型遊技機に用いられる音響構造に関する。
【０００２】
【従来の技術】
周知のように、遊技機、特に箱型遊技機の一つであるスロットマシンにおいては、スタートレバーあるいはスタートボタンを操作することにより複数個のリールを回転させ、ストップボタンを操作させることで各リールの回転を順次停止させ、停止した際のリールの図柄の組み合わせによりメダルあるいは球を払い出す構成を用いたものがある。
【０００３】
スロットマシンでは、ゲーム過程において入賞や特別入賞などに応じてメダルや球の配当数が異なるようにしてあることから、入賞あるいは特別入賞などの成立時やメダルあるいは球の配当時に適時効果音を発するようにして遊技者の興趣を高めるようにしてある場合がある。
【０００４】
スロットマシンは、内部にリールを始めとして各種の駆動部およびこれら駆動部の制御装置を収容可能な中空の筐体本体およびこれに開閉自在に支持されて遊戯操作面を有する前面扉とで機体が構成されている。
このような機体において効果音を発するためのスピーカは、概ね、前面扉におけるメタルあるいは球の払い出し口近傍さらには、遊技者の耳に近い位置に相当する前面扉の上部近傍にそれぞれ取り付けられていることが多い。（例えば、特許文献１）。
また、前面扉のみではスピーカの設置スペースが少ないことでスピーカのサイズも小さくなりがちとなり、これにより効果音としての音量が不足しやすいので、これを解決するために、前面扉が開閉自在に支持されている筐体側の側壁内部にスピーカボックスを配置し、この内部にスピーカを設けるようにした構成も提案されている（例えば、特許文献２）。
【０００５】
【特許文献１】
特開２００１−２７６３０８号公報（段落「００１０」、「００１１」欄、図２）
【特許文献２】
特開２０００−２８８１６０号公報（段落「００２１」欄、図４）
【０００６】
【発明が解決しようとする課題】
効果音はスロットマシンが設置される遊技場の雰囲気音に邪魔されることなく遊戯者に直接認識されることが望ましいが、遊戯者周辺のスロットマシンからも同じように効果音が発せられ、また遊技場での場内放送などの影響により遊戯者への認識度が低い場合がある。つまり、遊戯者周辺での騒音などによりスロットマシンからの効果音の出力が小さく感じられることがある。このため、ゲーム過程において入賞あるいは特別入賞の際の感動や入賞に至る緊迫感を高める興趣性が遊戯者にとって得にくくなる場合がある。
遊戯者への効果音は常に強くした方が望ましいとは限らず、その効果音の大きさが隣り合う遊戯者の集中力の妨げになったり、場内で違和感を与える場合がある。また、遊技場によっては、パチンコ球のような賞球の循環機がスロットマシンの近くに設置されていることもあり、この場合には、循環機から発生する音と効果音とが干渉して効果音が聞こえにくい場合がある。
さらに、効果音としての音量が少ない場合の構成として前記特許文献２に示されているようにスピーカボックスを設ける構成の場合には、スピーカボックスをキャビティとして用いることで音量増加が望める反面、前面扉に設けられているスピーカとは異なる方向から音が放射されることになり、遊戯者がとまどうこともある。しかも、キャビティを用いた構成は、いわゆる、バスレフ方式の構成を呈し、低音を強調できる利点がある反面、低音を放射する部分は通常円形などの形状が多く、この形状をキャビティ内に成形することは型成形などにおいて難しいことが多い。特に、特許文献２にあるような階段状の仕切りを設ける場合には、キャビティと一体成形することはきわめて困難であり、キャッビティとは別行程で設けることとなり、これにより、低音を強調する際にその音の指向性を確保するための加工コストが高くなるという不利な面がある。
【０００７】
一方、前面扉に設けられるスピーカは、前面扉に形成されたラス穴やスリット穴の裏側に直接取り付けられることが多い。このため、ラス穴やスリット穴などスロットマシンの内部が外部と連通している箇所においては、外部から棒状部材などを差し込むことによってスピーカのコーン紙を破き、内部部品への不正アクセスを行う事例が報告されている。この不正操作が行われるとメタルあるいは球の払い出し機構が容易に操作されてしまうこともあり、不当な払い出しが行われる虞がある。
【０００８】
本発明の目的は、上記従来のスロットマシン、特に音響装置として用いられるスピーカの設置構造における問題に鑑み、遊戯者への興趣を損なうことなく場内での音場雰囲気に応じて最適な効果音の発生源となる音響装置としての構成をコスト上昇を招くことなく得ることができるスロットマシンを提供することにある。
【０００９】
【課題を解決するための手段】
請求項１記載の発明は、効果音を発生させるための音響装置を備えた遊技機において、上記音響装置は、スピーカと該スピーカが前面に取り付けられて背面が開閉若しくは着脱可能な空間を有し、その空間の一部に上記スピーカからの背面音を前面に誘導するバスレフ部が設けられている共鳴部材で構成され、上記共鳴部材には、上記スピーカの後方に該スピーカを備えていない別の共鳴部材が連結可能であり、別の共鳴部材を連結することで上記スピーカの後方空間の容積を変更可能であることを特徴としている。
【００１０】
請求項２記載の発明は、箱型の筐体と、該筐体の前面に開閉自在に取り付けられる前面扉とを備える箱型遊技機に、効果音を発生させるための音響装置を備えた遊技機において、上記音響装置は、スピーカと該スピーカが前面に取り付けられて背面が開閉若しくは着脱可能な空間を有し、その空間の一部に上記スピーカからの背面音を前面に誘導するバスレフ部が設けられている共鳴部材で構成され、上記共鳴部材には、上記スピーカの後方に該スピーカを備えていない別の共鳴部材が連結可能であり、該共鳴部材の連結数は音場雰囲気あるいは希望する音量に応じて選択可能であることを特徴としている。
【００１１】
請求項１および２記載の発明では、箱型遊技機に用いられる音響装置がスピーカおよびこれが前面に取り付けられて背面が開閉若しくは着脱可能な空間を有すると共にスピーカからの背面音を前面に誘導するバスレフ部とを備えた共鳴部材で構成され、この共鳴部材に対してスピーカを備えない別の共鳴部材を連結してスピーカの後方空間の容積を変更できるので、効果音の発音状態を適宜、最適状態に設定することができる。しかも、スピーカは共鳴部材の内部空間内に納められているので、前面扉側からスピーカを突き破って進入しようとする異物を共鳴部材で阻止することができる。
【００１２】
請求項３記載の発明は、請求項１または２記載の発明に加えて、上記バスレフ部の内部空間には、音の伝播方向と直角な方向に並置可能で該バスレフ部の空間と一体若しくは着脱可能な仕切り部材が設けられていることを特徴としている。
【００１３】
請求項３記載の発明では、低音域の発音状態を強調する際に予め共鳴部材の内部空間に一体化されてバスレフ部が設けられ、しかもバスレフ部の内部空間に複数の仕切り部材を設けることができるので、敢えて特殊な形状のバスレフ部を準備しなくても低音の指向性を高めて低音を強調することができる。これによりバスレフ部を特殊な形態とする必要がないので、加工コストを上昇させることなく選択された音域での強調ができる。
【００１４】
【発明の実施の形態】
以下、図面により本発明の実施の形態を説明する。なお、本実施形態は、メダルの払い出しを行う構成を備えたスロットマシンを対象として説明する。
図１は、本発明の実施形態に係るスロットマシン１の外観図であり、同図において、スロットマシン１は、内部に各種制御板等が配置されている中空の筐体１Ａと、筐体１Ａに対して開閉自在に支持されて前面が遊戯操作面として構成されている前面扉１Ｂとで機体が構成されている。
図２は、機体の筐体１Ａおよび前面扉１Ｂを開放した状態を模式的に示した図であり、同図において、筐体１Ａ側には、高さ方向ほぼ中央部にリールブロック２が設けられ、下段位置には多数枚のメダルを貯蔵可能なホッパー３Ａを有する払い出し機構３が配置され、上段位置には主制御用の回路基板が収納された回路ブロック４が配置されている。
前面扉１Ｂには、筐体１Ａ側のリールブロック２と対向する位置に、リールを外部から透視させる開口からなる表示部５が設けられ、下段位置には投入されたメダルをホッパー３Ａに導入する通路および払い出されるメダルをメダル放出口に導く払い出し路とを有するメダル通路６が、そして上段位置には演出画面、ランプ及び効果音などの演出音を出力するサブ基板８が設けられている。
【００１５】
図１において前面扉１Ｂの前面には、リールの前面を覆ってリールを外部から透視できる正面パネル９と下面パネル１０とが高さ中央および下段位置に設けられ、上段位置にはディスプレイをなす液晶ユニット１８が装備されている上面パネル１１が設けられている。
下面パネル１０の上部には、精算スイッチ１２，リール始動レバー１３，リール停止スイッチ１４，メダル返却ボタン１５およびメダル投入口１６がそれぞれ設けてある。
下面パネル１０の下部には、メダルが払い出されるメダル放出口１７が設けられ、上面パネル１１には、前述した液晶ユニット１８が設けられている。なお、図１において符号１９はメダル貯留残留表示部を、符号２０Ａは入賞役物の作動回数表示部を、符号２０Ｂは獲得メダル枚数表示部をそれぞれ示している。
【００１６】
スロットマシン１に用いられるスピーカは、効果音などの演出音を発生させるための音響装置の一部材として用いられ、図２に示すように、前面扉１Ｂにおける上部左右の２カ所およびメダル放出近傍の１カ所にそれぞれ音響装置の他の部材として用いられる共鳴部材と共に取り付けられている。
【００１７】
音響装置の一部材として用いられるスピーカ２１は、上部左右に配置されているものが高音域の発音用であり、メダル放出口近傍に配置されているスピーカ２２は低音域の発音用である。
本実施形態では、低音域の発音用スピーカの構成に特徴があり、その詳細が図３に示されている。なお、上述した特徴部分は、低音域の発音用スピーカだけでなく、高音域用のスピーカに適用することも可能である。
図３において低音域用のスピーカ２２は、音響装置の他の部材をなす共鳴部材２３と共に前面扉１Ｂに取り付けられている。
共鳴部材２３は、前面扉１Ｂに取り付けられる正面壁２３Ａを含む上下左右が囲まれてスピーカ２２の後方空間に位置する背面壁２３Ｃが開閉可能若しくは着脱可能な筐体で構成され、スピーカ２２を囲む内部空間の一部には、スピーカ２２からの背面音を前面２３Ａ側に誘導するバスレフ部２３Ｂが設けられている。
共鳴部材２３は、筐体の内部空間で背面壁２３Ｃが開放若しくは取り外されることにより、図４に示すように、スピーカを備えない別の共鳴部材２４を連結することができるようになっている。
【００１８】
図３において共鳴部材２３は通常樹脂等で構成されている。更に、最近、熱を有したドリル状の道具を用いて筺体を構成している樹脂を融解し、内部に不正アクセスするための穴を開ける事例が報告されている。このため、前記不正を防止するため筺体２３Ａを構成する材質を熱に強いフェノール樹脂あるいは板金製で形成すればなお良い。また、必要に応じては、金属性ダイキャストを用いることも可能である。
【００１９】
共鳴部材２３をなす筐体の内部空間の一部に設けられているバスレフ部２３Ｂは、図３（Ａ）に示すように、共鳴部材２３の一部として予め形成されている部分であり、スピーカ２２からの背面音の伝搬方向と直角な方向で複数の空間に仕切ることができるようになっており、このため、バスレフ部２３Ｂの内部空間には、仕切部材２３Ｂ１が一体成形若しくは着脱可能に設けられている。
仕切部材２３Ｂ１は、着脱可能な場合にその数を選択されることによりバスレフ部２３Ｂの内部空間容積を変更できる部材であり、低音域の発音状態に合わせた空間容積を設定できるようになっている。
バスレフ部２３Ｂは、低音域を強調する部分として用いられるが、低音域を強調するために仕切り部材２３Ｂ１を用いて低音域の音の指向性を確保することができるようになっている。このため、通常であれば、音の指向性を持たせるための筒状部材を準備することになるが、本実施形態では、敢えてかような部材を準備しなくても筒状部材と同様な機能（指向性）を発揮させることができるようになっている。
また、空間容積を変更するに際しては、仕切部材２３Ｂ１によって仕切られた一方の空間のみを用いて他方の空間を用いない場合がある。この場合には、使用されない空間に吸音部材などを充填して発音させないようにすればよい。
【００２０】
スピーカ２２が取り付けられている側の共鳴部材２３の背面は着脱可能な背面板２３Ｃを設けることで開閉可能になっており、開放した場合には、スピーカ２２を装備しない別の共鳴部材２４が連結できるようになっている。
別の共鳴部材２４は、スピーカ２２が取り付けられている共鳴部材２３に対してスピーカ２２の背面側の長さを変更してこの長さに対応した周波数域の音を強調するための部材であり、その詳細が図４に示されている。
別の共鳴部材２４は、共鳴部材２３と比較して音の伝搬方向での長さ（便宜上、図４において符号Ｌ２で示す）が共鳴部材２３の長さ（便宜上、図４において符号Ｌ１で示す）よりも短く設定された筐体で構成され、共鳴部材２３と同様に、通常樹脂等で構成されて共鳴部材２３側に連結される前面２４Ａが開放され、背面壁は共鳴部材２３の場合と同様に開閉若しくは着脱可能とされている。
なお、共鳴部材２４の材質としては、最近、熱を有したドリル状の道具を用いて筺体を構成している樹脂を融解し、内部に不正アクセスするための穴を開ける事例が報告されている。このため、前記不正を防止するため筺体２３Ａを構成する材質を熱に強いフェノール樹脂あるいは板金製で形成すればなお良い。また、必要に応じては、金属製ダイキャストを用いることも可能である。
【００２１】
別の共鳴部材２４の内部には、共鳴部材２３と同様に、内部空間の一部にバスレフ部２４Ｂが設けられ、バスレフ部２４Ｂは、共鳴部材２３側のバスレフ部２３Ｂと連続可能な仕切部材２４Ｂ１が設けられるようになっている。
別の共鳴部材２４側でのバスレフ部２４Ｂに設けられる仕切部材２４Ｂ１は、前面から符号Ｓで示す距離だけ突出しており、この距離Ｓの範囲が図３に示すように、共鳴部材２３側での背面が分から内部空間に入り込むことができ、入り込むことで共鳴部材２３側のバスレフ部２３Ｂに設けられている仕切部材２３Ｂ１と連続するようになっている。これにより、スピーカ２２が位置する共鳴部材２３側の内部空間では、スピーカ２２とバスレフ部２３Ｂとの間が遮蔽されるので、スピーカ２２からの背面音は別の共鳴部材２４に位置するバスレフ部２４Ｂから共鳴部材２３の前面壁２３Ａに向けて誘導されることになる。
別の共鳴部材２４は、背面壁が開放あるいは取り外されると、さらに別の共鳴部材（図４中、二点鎖線で示す）を連結することができるようになっている。
共鳴部材同士の連結構造としては、ネジ止めなどが可能なボス部２３Ｃ、２４Ｃが用いられ、連結面は音の漏洩を防止するためのパッキン部材（図示されず）などが設けられるようになっている。
【００２２】
本実施形態は以上のような構成において、遊技場での音場雰囲気などによりスピーカ２２からの放射音域を選択的に強調することができる。つまり、共鳴部材２３に対して別の共鳴部材２４を適宜連結すると、スピーカ２２の背面での長さが変更されることになり、これにより長さに応じた周波数域の音、特に低音が強調されることになる。
一方、バスレフ部２３Ｂ、２４Ｂでは仕切部材２３Ｂ１，２４Ｂ１の数を適宜選択することにより音量が適切な状態に調整されると共に、音の指向性が確保されるので、低音域の音を強調させることができる。しかも、バスレフ部２３Ｂにおいても空間の容積変更が行えるので、音域を変更することもでき、さらには、変更した場合に不用意に設定した音量以上の音が放射されるのを吸音材などを用いることにより防止することができる。
【００２３】
前面扉１Ｂ側から異物が挿入された場合には、スピーカ２２が、共鳴部材２３内に納められているので、仮に、図３において符号１Ｂ２で示されているラス穴を通して外部から棒状部材が突き刺されてスピーカ２２のコーンが突き破られたとしても共鳴部材２３の壁面に突き当たることで機体内部への進入が阻まれることになり、不正行為を阻止することができる。特に、温度に対しても耐久性のある筐体構造としているので、加熱した棒状部材などの進入によっても共鳴部材２３が破損することはないので、差し込みおよび加熱による殆どの不正行為を防止することができる。なお、共鳴部材２３は、前面扉１Ｂの開閉時に筐体１Ａの一部と干渉するようなサイズである場合には、前面扉１Ｂ側に限らず、機体１Ａ側に設けることも可能である。
また、本実施形態に例示した遊技機はスロットマシンを例に取り上げたが、これに限らずその他の箱型遊技機、または、パチンコ遊技機に使用してもよい。
【００２４】
【発明の効果】
請求項１および２記載の発明によれば、箱型遊技機に用いられる音響装置がスピーカおよびこれが前面に取り付けられて背面が開閉若しくは着脱可能な空間を有すると共にスピーカからの背面音を前面に誘導するバスレフ部とを備えた共鳴部材で構成され、この共鳴部材に対してスピーカを備えない別の共鳴部材を連結してスピーカの後方空間の容積を変更できるので、効果音の発音状態を適宜最適化状態に設定することができる。これにより、効果音の発音状態を興趣性に富んだあるいは遊戯者の好みに適応した状態に設定することができる。
しかも、スピーカは共鳴部材の内部空間内に納められているので、前面扉側からスピーカを突き破って進入しようとする異物を共鳴部材で阻止することができるので、スピーカを突き破って行われようとする不正な払い出し行為を未然に防ぐことが可能となる。
【００２５】
請求項３記載の発明によれば、低音域の発音状態を強調する際に予め共鳴部材の内部空間に一体化されてバスレフ部が設けられ、しかもバスレフ部の内部空間に複数の仕切り部材を設けることができるので、敢えて特殊な形状のバスレフ部を準備しなくても低音の指向性を高めて低音を強調することができる。これによりバスレフ部を特殊な形態とする必要がないので、加工コストを上昇させることなく選択された音域での強調ができる。
【図面の簡単な説明】
【図１】本発明の実施形態に係るスロットマシンの外観図である。
【図２】図１に示したスロットマシンの機体を開放した状態を示す図である。
【図３】本発明の実施形態に係るスロットマシンの要部構成であるスピーカボックスの構成を説明するための図であり、（Ａ）は正面図、（Ｂ）は（Ａ）中、符号（Ｂ）で示す方向の部分的断面図である。
【図４】図３に示したスピーカボックスと、これに連結される別のスピーカボックスを合わせて示した図である。
【図５】図３に示したスピーカボックスにおける気柱部の構成を部分的に破断して示す図である。
【符号の説明】
１          スロットマシン
１Ａ        筐体
１Ｂ        前面扉
２２        スピーカ
２３        共鳴部材
２３Ａ      前面
２３Ｂ      バスレフ部
２３Ｂ１    仕切部材
２４        スピーカを装備しない別の共鳴部材
２４Ｂ      バスレフ部
２４Ｂ１    仕切り部材
【図１】
2004236021.tif 000003
【図２】
2004236021.tif 000004
【図３】
2004236021.tif 000005
【図４】
2004236021.tif 000006
【図５】
2004236021.tif 000007